(57)【要約】【課題】ラベル発行時間およびラベル貼付時間を含む作業全体の時間を短縮することが可能なラベル発行装置を提供する。【解決手段】ラベル用紙がロール状に巻回されたラベルロールを繰り出しラベルを発行するラベル発行装置は、ラベルロールからラベル用紙を繰出して枚葉状に前記ラベルを発行する第１のラベル発行形態と、ラベルロールからラベル用紙を繰り出してラベルを所定枚数連ねて発行する第２のラベル発行形態の何れかを実行する制御手段、を有し、制御手段は、第２のラベル発行形態によりラベルを発行する場合、第１のラベル発行形態におけるラベルを発行する速度より速い速度でラベルを発行する制御を行う。【選択図】図２
2015160665.tif 000002
【特許請求の範囲】
【請求項１】
ラベル用紙がロール状に巻回されたラベルロールを繰り出しラベルを発行するラベル発行装置であって、
前記ラベルロールからラベル用紙を繰出して枚葉状に前記ラベルを発行する第１のラベル発行形態と、前記ラベルロールからラベル用紙を繰り出して前記ラベルを所定枚数連ねて発行する第２のラベル発行形態の何れかを実行する制御手段を有し、
前記制御手段は、前記第２のラベル発行形態により前記ラベルを発行する場合、前記第１のラベル発行形態におけるラベルを発行する速度より速い速度で前記ラベルを発行する制御を行う
ことを特徴とするラベル発行装置。
【請求項２】
前記ラベルロールは、台紙にラベルが仮着されたラベル用紙がロール状に巻回されたラベルロール、あるいは、前記台紙を有さない一方面が印字面のラベル用紙がロール状に巻回された台紙レスラベルロールの何れかである
ことを特徴とする請求項１に記載のラベル発行装置。
【請求項３】
前記第１のラベル発行形態と前記第２のラベル発行形態のラベルを発行する速度を設定する設定手段を更に有し、
前記設定手段は、前記第１のラベル発行形態、または、前記第２のラベル発行形態における前記ラベルロールからラベル用紙を繰出す速度を設定する
ことを特徴とする請求項１または請求項２に記載のラベル発行装置。
【請求項４】
前記ラベルに所定の印字を施す印字手段を更に有し、
前記制御手段は、前記第１のラベル発行形態または前記第２のラベル発行形態に基づいて、前記ラベルを発行する速度に応じて前記印字手段の印字処理を制御することを特徴とする請求項１から請求項３の何れかに記載のラベル発行装置。
【発明の詳細な説明】
【技術分野】
【０００１】
本発明は、ラベル発行装置に関する。
【背景技術】
【０００２】
ラベルを発行するラベルプリンタが知られている。一般的なラベルプリンタは一定のラベル発行速度で、詳細には、ラベルを一定速度で繰り出しながらラベルに印字を行うことで、ラベルを発行する。
【０００３】
また、印字データの中にバーコードデータを判別したときに、文字印字よりも印字速度を遅くしてバーコードデータに対応した印字を行う印字手段を備えたドットプリンタが知られている（例えば、特許文献１参照）。
【先行技術文献】
【特許文献】
【０００４】
【特許文献１】特開昭６３−２３０３４５号公報
【発明の概要】
【発明が解決しようとする課題】
【０００５】
しかしながら、上述した一般的なラベルプリンタは一定のラベル発行速度でラベル発行を行うので、ラベル発行時間およびラベル貼付時間を含む作業全体の時間短縮を行うことが困難である。
【０００６】
また、ラベル貼付作業の作業効率を考えると、品目毎に必要とする枚数のラベルを事前に発行しておき、作業者が事前に発行されたラベルを用いて商品にラベルを貼付する作業を品目毎に並列的に行える形態と、ラベル発行装置よりラベルを発行しながら発行されたラベルを作業者が商品に貼付するという形態とが並列的に行えることが作業効率的に望ましい。
【０００７】
本発明は、上述した問題に鑑みてなされたもので、ラベル発行時間およびラベル貼付時間を含む作業全体の時間を短縮することが可能なラベル発行装置を提供すること、などを目的とする。
【課題を解決するための手段】
【０００８】
このような目的を達成するために、本発明によるラベル発行装置は、以下の構成を少なくとも具備するものである。
ラベル用紙がロール状に巻回されたラベルロールを繰り出しラベルを発行するラベル発行装置であって、前記ラベルロールからラベル用紙を繰出して枚葉状に前記ラベルを発行する第１のラベル発行形態と、前記ラベルロールからラベル用紙を繰り出して前記ラベルを所定枚数連ねて発行する第２のラベル発行形態の何れかを実行する制御手段、を有し、前記制御手段は、前記第２のラベル発行形態により前記ラベルを発行する場合、前記第１のラベル発行形態におけるラベルを発行する速度より速い速度で前記ラベルを発行する制御を行うことを特徴とする。
【発明の効果】
【０００９】
本発明によれば、ラベルを所定枚数連ねて発行（例えば、台紙に１つまたは複数のラベルが仮着された状態でラベルを発行）する場合、枚葉状にラベルを発行（例えば、台紙から一枚ずつラベルを剥離して発行）する速度より速い速度でラベルを発行する制御を行うことで、事前発行のラベルを短時間で用意することができるので、ラベル発行時間およびラベル貼付時間を含む作業全体の時間を短縮でき、更なる作業効率を考慮したラベル発行を行うことができるラベル発行装置を提供することができる。
【図面の簡単な説明】
【００１０】
【図１】本発明の実施形態に係るラベル発行装置の一例を示す図、（ａ）は正面図、（ｂ）は側面図。
【図２】本発明の実施形態に係るラベル発行装置の機能ブロックの一例を示す図。
【図３】本発明の実施形態に係るラベル発行装置の動作の一例を示すフローチャート。
【図４】ラベル発行装置の表示部（液晶表示器）に表示される設定画面の一例を示す図。
【図５】ラベル発行装置の表示部に表示される設定画面の一例を示す図。
【図６】ラベル発行装置の表示部に表示される設定画面の一例を示す図、（ａ）はラベルの連続発行ボタンを備えた設定画面の一例を示す図、（ｂ）は第１ラベル、第２ラベル、連動ラベル（第二ラベラー）を選択する設定画面の一例を示す図、（ｃ）は連続発行または１枚ずつ発行の設定画面の一例を示す図。
【図７】ラベル発行装置の表示部に表示される設定画面の一例を示す図、（ａ）は発行枚数に関する設定画面の一例を示す図、（ｂ）は実行ボタンを備えた設定画面の一例を示す図。
【発明を実施するための形態】
【００１１】
本発明の実施形態に係るラベル発行装置は、ラベル用紙がロール状に巻回されたラベルロールを繰り出しラベルを発行するラベル発行装置であって、前記ラベルロールからラベル用紙を繰り出して枚葉状にラベルを発行する第１のラベル発行形態と、ラベルロールからラベル用紙を繰り出してラベルを所定枚数連ねて発行する第２のラベル発行形態の何れかを実行する制御手段を有する。制御手段は、第２のラベル発行形態により前記ラベルを発行する場合、第１のラベル発行形態におけるラベルを発行する速度より速い速度で前記ラベルを発行する制御を行う。
【００１２】
ラベル発行装置は、ラベルロールからラベル用紙を繰出して枚葉状にラベルを発行（例えば、台紙に仮着されたラベルに印字を行って台紙からラベルを剥離手段により剥離させることによりラベルを１つずつ発行）する第１の発行形態におけるラベルを発行する速度より、ラベルを所定枚数連ねて発行（例えば、台紙に１つまたは複数のラベルを仮着させた状態でラベルに印字を行いラベルを発行）する第２のラベル発行形態（垂れ流し発行）を速い速度（高速）でラベルが発行されるように制御を行うことができる。このため、垂れ流し発行時には、１つまたは複数のラベル（印字済み）を仮着したラベル用紙を短時間に発行することができる。すなわち、短時間に垂れ流し発行を行うことができる。
なお、ラベルロールは、台紙にラベルが仮着されたラベル用紙がロール状に巻回されたラベルロール、あるいは、台紙を有さない一方面が印字面のラベル用紙がロール状に巻回された台紙レスラベルロールの何れであってもよい。
また、前記台紙を有さない一方面が印字面のラベル用紙は、他方面が粘着層からなる貼付面、あるいは、他方面が加熱密度に基づき加熱することにより熱活性し粘着性を生じさせる貼付面であってもよい。
また、ラベルロールが台紙を有さない一方面が印字面のラベル用紙であり、印字手段により印字を行い連続発行する場合は、ラベルとラベルとの間に境界（区切）を示す印や記号を印字するようにしてもよい。
【００１３】
ラベル発行装置の繰出手段や剥離手段などの機器の特性により、連続発行（第２のラベル発行形態）では、ラベル発行速度に対応させて、剥離発行（第１のラベル発行形態）よりもラベル印字速度を速くすることができる。
【００１４】
本発明の実施形態に係るラベル発行装置を、図面を参照しながら説明する。
【００１５】
図１は、本発明の実施形態に係るラベル発行装置１の一例を示す図である。詳細には、図１（ａ）はラベル発行装置１の正面図、図１（ｂ）はラベル発行装置１の側面図である。図２はラベル発行装置１の機能ブロックの一例を示す図である。
【００１６】
ラベル発行装置１は、本体部１ａの前面側に第１印字機構部３、第２印字機構部４を備える。第１印字機構部３および第２印字機構部４はラベルを発行する。本体部１ａの上部に表示入力部５が設けられている。表示入力部５は、表示部としての液晶表示器９ｂと、タッチパネル９ａと、キーボードなどのキー操作部７とを有する。
本発明の実施形態に係るラベル発行装置１は計量部２を有し、計量部２による商品などの質量に応じたラベルを発行可能に構成されている。
【００１７】
ラベル発行装置１は、詳細には、本体部１ａ内に制御装置１００を有する。制御装置１００は、計量部２、第１印字機構部３、第２印字機構部４、表示入力部５などを統括的に制御する。
【００１８】
制御装置１００は、制御部である制御手段２０（ＣＰＵ）と、ロードセル制御部２１と、印字・搬送制御部２２と、表示制御部２５と、操作制御部２４と、ＲＡＭ３０と、ＲＯＭ４０と、などを有する。制御装置１００の各構成要素はバスなどの通信線で電気的に接続されている。
【００１９】
制御装置１００は、制御部である制御手段２０（ＣＰＵ）と、ＲＡＭ３０と、ＲＯＭ４０と、ロードセル制御部２１と、表示制御部２５と、操作制御部２４と、印字・搬送制御部２２と、などを有する。制御装置１００の各構成要素はバスなどの通信線で電気的に接続されている。
【００２０】
制御手段２０は、制御装置１００の各構成要素を統括的に制御する。詳細には、制御手段２０は、ＲＡＭ３０やＲＯＭ４０などの記憶部に記憶されている制御用のプログラムを実行することにより、本発明に係る機能をコンピュータとしてのラベル発行装置に実現させる。
【００２１】
記憶部としてのＲＡＭ３０やＲＯＭ４０には、制御用のプログラム、各種パラメータなどが記憶されている。記憶部は、連続発行（第１のラベル発行形態）やラベル剥離発行（第２のラベル発行形態）それぞれのラベル用紙の繰出速度や印字速度を設定手段で設定された値を記憶するとともに、商品データも記憶部（メモリ）内の他の領域に記憶する。制御手段２０は、発行形態に応じてラベル用紙の繰出速度や印字速度を制御する。具体的には、制御手段２０は、連続発行（第２のラベル発行形態）の繰出速度と印字速度を、ラベル剥離発行（第１のラベル発行形態）より速い速度となるように制御する。
【００２２】
ロードセル制御部２１は、制御手段２０による制御により、計量部２に設けられているロードセル２ａなどの計量装置から、商品などの質量を示す計量信号を受信して制御手段２０に出力する。制御手段２０は、その計量信号に基づいて計量部２で計量された商品などの質量を取得する。
【００２３】
表示制御部２５は、制御手段２０の制御により、表示入力部５の液晶表示器９ｂなどの表示部に、ラベル発行装置に関する画面などを表示させる。
【００２４】
操作制御部２４は、表示入力部５のキー操作部７やタッチパネル９ａなどの入力装置からの信号を受信し、その信号を制御手段２０に出力する。制御手段２０は、入力装置からの入力に基づいて本発明に係る各動作を行う。
【００２５】
印字・搬送制御部２２は、第１印字機構部３、および、第２印字機構部４に電気的に接続されており、制御手段２０の制御に基づいて、第１印字機構部３や第２印字機構部４によりラベルを発行させる。
【００２６】
第１印字機構部３は、繰出手段３１と、印字手段３２と、剥離手段３３と、切断手段３４と、などを有する。
繰出手段３１は、モータにより回転駆動されるプラテンローラや排紙ローラなどを有し、ラベルを仮着したロール状の台紙からラベル用紙を設定された繰出速度にて繰り出す。制御手段２０は、モータを制御することにより、ラベルの発行形態に応じて繰出手段３１の繰出速度を制御する。
【００２７】
印字手段３２は、繰出手段３１よりも下流側（ラベル発行方向の下流側）に設けられた印字ヘッドなどを有し、制御手段２０の制御により印字ヘッドによりラベルに印字を行う。詳細には、印字手段３２は、台紙に仮着されたラベルに印字ヘッドにより印字を行う。
なお、台紙レスラベルロールを繰出してラベルを印字発行する場合は、ラベル発行方向の印字する文字の量に応じて異なる長さのラベルが印字発行される。
【００２８】
剥離手段３３は、繰出手段３１で繰り出されたラベル用紙のラベルを台紙から剥離する。詳細には、剥離手段３３は、印字手段３２よりも下流側に設けられたディスペンサなどを有し、ディスペンサによりラベルを台紙から剥離する。
なお、台紙レスラベルロールを繰出して枚葉状のラベルを発行する場合は、ディスペンサなどを設けない構成としてもよい。
【００２９】
台紙レスラベルロールを繰出して枚葉状のラベルを発行する場合は、印字されて発行されたラベル用紙を切断する切断手段３４を設け、この切断手段３４は、印字手段３２よりも下流側に配置されたカッタなどを有し、制御手段２０の制御により必要に応じてラベル用紙を切断する。なお、切断手段３４は、ラベル発行方向の印字する文字の量に応じてラベルが異なる長さになるため、前記印字する文字の量に応じてラベルを切断する。尚、切断手段３４をラベル発行装置１に設けない構成であってもよい。
また、台紙レスラベルロールを繰出して枚葉状のラベルを発行する方式と、繰出手段３１で繰り出されたラベル用紙のラベルを台紙から剥離してラベルを発行する方式の両方が行える構造とする場合は、剥離手段３３、切断手段３４の両方を備える構造としてもよい。
【００３０】
第２印字機構部４は、繰出手段４１と、印字手段４２と、剥離手段４３と、切断手段４４と、などを有する。第２印字機構部４の各構成要素は、第１印字機構部３と略同様な構成であるので説明を省略する。つまり、第１印字機構部３の繰出手段３１、印字手段３２、剥離手段３３、切断手段３４それぞれを、第２印字機構部４の繰出手段４１、印字手段４２、剥離手段４３、切断手段４４に読み替えることができる。なお、第１印字機構部３と第２印字機構部４は、それぞれの印字機構部と非同期でラベルを印字発行することができ、ラベルサイズやラベルの種類も印字機構部それぞれが異なったラベルで且つ非同期で発行することが可能となっている。また、第１印字機構部３と第２印字機構部４のそれぞれが剥離手段３３、切断手段３４の両方を備える構造とした場合、第１印字機構部３でラベルが台紙に仮着された状態で所定枚数が連ねて発行するラベル発行方式とし、第２印字機構部４で台紙レスラベルロールを繰出して枚葉状のラベルを発行する方式としてもよい。また、前述の第１印字機構部３と第２印字機構部４の発行方式が逆であってもよいし、両方が同じ方式であってよい。
【００３１】
次に、制御手段２０の動作を詳細に説明する。
制御手段２０は、剥離手段３３で台紙からラベルを剥離して所定枚数のラベルを発行する第１のラベル発行形態、剥離手段３３による剥離なしで台紙にラベルを仮着した状態のラベル用紙を繰出手段３１により繰り出して所定枚数のラベルを連ねて発行する第２のラベル発行形態のいずれかを実行する。
【００３２】
また、制御手段２０は、第２のラベル発行形態でラベルの発行を行う場合、繰出手段３１によるラベル用紙の繰出速度を第１のラベル発行形態の繰出速度よりも速い速度、例えば１．５倍〜２．５倍程度の速度、好ましくは２．０倍程度に制御する。なお、この繰出し速度は、設定手段により設定がなされるものとする。また、ラベルへの印字速度も図示していない設定画面（設定手段）で設定されるものとする。前記ラベルへの印字速度は、ラベル用紙の繰出速度に応じた適切な速度が自動設定されるようにしてもよい。なお、速度の設定において、第２のラベル発行形態の速度が第１のラベル発行形態の速度よりも速い速度で設定がなされるように設定手段が制御し設定値を設定させるようにしてもよいが、第１のラベル発行形態の速度と第２のラベル発行形態の速度を同一の速度で設定してもよい。何故ならば、第１のラベル発行形態において、次のラベルを発行するタイミングは、現在発行したラベルが作業者により取り除かれたことを検出した後、次のラベルを発行する制御となるため、所定枚数のラベルを発行完了するために要する時間は、第２のラベル発行形態よりも時間を要することとなるためである。なお、図示していない設定画面（設定手段）の設定において設定される速度は、繰出し速度の上限値、または、印字速度の上限値を超えないように制御されて第１のラベル発行形態、第２のラベル発行形態の速度が適切な値で設定されるものとする。
【００３３】
また、制御手段２０は、第１のラベル発行形態または第２のラベル発行形態に応じて、台紙に仮着されたラベルに所定の印字を施す印字手段３２の印字処理を制御する。詳細には、第１のラベル発行形態の場合、制御手段２０は繰出手段３１による通常時の繰出速度に同期して、印字ヘッドによりラベルに印字を行う。また、第２のラベル発行形態の場合、制御手段２０は繰出手段３１による速い繰出速度（第１のラベル発行形態の場合よりも速い繰出速度）に同期して、印字手段３２の印字ヘッドなどによりラベルに印字を行う。
【００３４】
設定手段は、第１のラベル発行形態と第２のラベル発行形態のラベルを発行する速度を設定する。また、設定手段は、第１のラベル発行形態、または、第２のラベル発行形態におけるラベルロールからラベル用紙を繰出す速度を設定する。
【００３５】
図３は本発明の実施形態に係るラベル発行装置１の動作の一例を示すフローチャートである。本発明の実施形態に係るラベル発行装置１の動作の一例を図１から図３を参照しながら説明する。
【００３６】
ステップＳＴ１において、ラベル発行指示を表示入力部５から入力された場合、制御手段２０は、記憶部としてのＲＡＭ３０などに記憶されているラベルの発行形態を示す設定データ、商品データなどを読み出す。ラベルの発行形態を示す設定データは、表示入力部５からの入力に基づいてラベル毎に設定される。予めラベル毎にラベル発行形態が設定される態様であってもよい。
【００３７】
ステップＳＴ２において、制御手段２０は、ラベルの発行形態を示す設定データに基づいて、ラベルを剥離しないモード（第２のラベル発行形態）か、それ以外のモード（第１のラベル発行形態）かを判別し、第２のラベル発行形態の場合にステップＳＴ４の処理に進み、第１のラベル発行形態の場合にステップＳＴ３の処理に進む。
【００３８】
ステップＳＴ３において、制御手段２０は、第１のラベル発行形態の場合、ラベル発行を低速設定とする。詳細には、制御手段２０は、第１のラベル発行形態の場合、繰出手段３１によりロール状の台紙にラベルを仮着したラベル用紙を繰り出し、印字手段３２によりラベルに印字を行い（ステップＳＴ５）、剥離手段３３で台紙からラベルを剥離して排紙する。ラベルは排紙口に位置し、待機した状態となる。制御手段２０は、作業者などによりラベルが排紙口から取り除かれた場合、次のラベルを印字発行し、所定枚数のラベルの発行を完了したか否かを判別し（ステップＳＴ６）、所定枚数のラベルの発行を完了していない場合、ステップＳＴ２の処理に進み、それ以外の場合、一連の第１のラベル発行形態でのラベル発行を終了する。
【００３９】
ステップＳＴ２の処理において、第２のラベル発行形態であると判別された場合、ステップＳＴ４において、制御手段２０は、繰出手段３１によるラベル用紙の繰出速度を第１のラベル発行形態の繰出速度よりも速い速度に制御して、台紙にラベルを仮着した状態のラベル用紙を繰出手段３１により繰り出すとともに、印字手段３２により、繰出速度と同期した印字速度で、台紙に仮着されたラベルに所定の印字処理を行い（ステップＳＴ５）、所定枚数のラベルを発行したか否かを判別し（ステップＳＴ６）、所定枚数のラベルの発行を完了していない場合、ステップＳＴ２の処理に進み、それ以外の場合、剥離手段３３で台紙からラベルを剥離することなく、排紙口から排紙し、一連の第２のラベル発行形態でのラベル発行を終了する。この場合、ラベルは排紙口に位置し、待機した状態としてもよいし、カッタなどの切断手段３４によりラベル用紙を切断することで、印字された複数のラベルを仮着した台紙を排紙口から排紙してもよい。
【００４０】
図４はラベル発行装置の表示部（液晶表示器）に表示される設定画面５１の一例を示す図である。表示部に表示される設定画面５１は、日付、時間、商品コード、商品名、内容量、内容量単位、風袋量、重さ、単価、値段などを有する。設定画面５１をタッチパネル９ａやキー操作部７により操作することにより、ラベル発行装置に関する各種設定を行うことができる。
【００４１】
図５はラベル発行装置の表示部に表示される設定画面５１の一例を示す図である。設定画面５１は、ラベルイメージＩＭ、発行枚数設定部（ラベル枚数表示部５０１、発行枚数表示部５０２）、ラベル発行開始ボタン５０５などを有する。
ラベル枚数表示部５０１は設定されたラベル枚数を示し、発行枚数表示部５０２は残りの発行枚数を示す。
なお、連続発行する場合（第２のラベル発行形態）、発行枚数表示部５０２の矢印ｄの表示が「↓」の場合、発行枚数表示部５０２は、指定された枚数をダウンカウントしゼロ枚になるまで連続発行する。また、発行枚数表示部５０２の矢印ｕの表示が「↑」且つラベル発行の枚数指定（置数）がない場合に剥離発行モード（第１のラベル発行形態）として機能させるようにしてもよい。
そして、ラベル発行開始ボタン５０５が操作された場合、制御手段２０は、第１印字機構部３、第２印字機構部４を駆動することにより、設定されたラベル発行形態でラベルを発行する。
【００４２】
図６はラベル発行装置の表示部に表示される設定画面５１の一例を示す図である。詳細には図６（ａ）はラベルの連続発行ボタンを備えた設定画面５１の一例を示す図、図６（ｂ）は第１ラベル、第２ラベル、連動ラベル（第二ラベラー）を選択する設定画面５１の一例を示す図、図６（ｃ）は連続発行または１枚ずつ発行の設定画面５１の一例を示す図である。図７はラベル発行装置の表示部に表示される設定画面５１の一例を示す図である。詳細には、図７（ａ）は発行枚数に関する設定画面５１の一例を示す図、図７（ｂ）は実行ボタンを備えた設定画面５１の一例を示す図である。
【００４３】
図６（ａ）に示した例では、設定画面５１は、商品名、品番、・・・、ラベル連続発行ボタン５１１、などを有する。ラベル連続発行ボタン５１１は、第２のラベル発行形態に設定する際に操作される。
図６（ｂ）に示した例では、設定画面５１は、第１のラベルボタン５１２、第二ラベル（二枚目）ボタン５１３、連動ラベル（第二ラベラー）ボタン５１４を有する。２種類以上のラベルを設定する場合、上記ボタン５１２，５１３，５１４のいずれかを連続発行させる対象のラベルに応じて選択することができる。
【００４４】
図６（ｃ）に示した例では、設定画面５１は、商品番号、品名、・・・、発行枚数表示部５１７、第１のラベル発行形態にてラベルを１枚ずつ印字させるボタン５１５（剥離発行モード用ボタン）、第２のラベル発行形態にて連続発行ボタン５１６（連続発行モード用ボタン）、などを有する。
ボタン５１５またはボタン５１６を操作することにより、第１のラベル発行形態または第２のラベル発行形態を設定することができる。
【００４５】
図７（ａ）は発行枚数に関する設定画面５１の一例を示す図、図７（ｂ）は実行ボタンを備えた設定画面５１の一例を示す図である。
【００４６】
次に、発行枚数表示部５１７に、キー操作部７やタッチパネル９ａなどから発行枚数が入力設定され（図７（ａ）参照）、実行ボタン５１８（図７（ｂ））が操作されると、制御手段２０が設定されたデータ（設定データ）に基づいて、第１のラベル発行形態または第２のラベル発行形態でラベルを発行する処理を行う。
なお、秤付きのラベル発行装置に場合、連続発行モード（第２のラベル発行形態）と剥離発行モード（第１のラベル発行形態）は、計量区分に基づいて切り換えを制御してもよい。詳細には、例えば、計量区分＝１（不定貫）の場合には剥離発行しか許可しない。計量区分＝０（定貫）の場合には剥離発行モード（第１のラベル発行形態）と連続発行モード（第２のラベル発行形態）の何れも許可するようにしてもよい。
【００４７】
以上、説明したように、本発明の実施形態に係るラベル発行装置１は、ラベル用紙がロール状に巻回されたラベルロールを繰り出しラベルを発行する。ラベル発行装置１は、ラベルロールからラベル用紙を繰出して枚葉状にラベルを発行する第１のラベル発行形態と、ラベルロールからラベル用紙を繰り出してラベルを所定枚数連ねて発行する第２のラベル発行形態の何れかを実行する制御手段２０を有する。この制御手段２０は、第２のラベル発行形態によりラベルを発行する場合、第１のラベル発行形態におけるラベルを発行する速度より速い速度でラベルを発行する制御を行う。
詳細には、ラベル発行装置１は、ラベルがロール状の台紙に仮着されたラベル用紙を繰り出す繰出手段３１と、繰出手段３１で繰り出されたラベル用紙のラベルを台紙から剥離する剥離手段３３と、剥離手段３３で台紙からラベルを剥離して所定枚数のラベルを発行する第１のラベル発行形態、剥離手段３３による剥離なしに繰出手段３１により繰り出されたラベル用紙にラベルが仮着された状態で所定枚数のラベルを発行する第２のラベル発行形態のいずれかを実行する制御手段２０とを有する。
すなわち、台紙に１つまたは複数のラベルを仮着された状態でラベルを発行する場合、ラベルを台紙から剥離して発行するラベル発行形態でのラベル繰出速度よりも速く制御することで、短時間にラベルを発行することができるラベル発行装置を提供することができる。
また、ラベル発行及びラベル貼付を含む作業全体の時間短縮を行うことが可能なラベル発行装置を提供することができる。
詳細には、第２のラベル発行形態により、台紙付きでラベルを必要枚数発行しておいて、後で人手により１枚ずつ台紙よりラベルを剥がし商品に貼付する作業を素早く着手することができる。
上述した第２のラベル発行形態は、複数種類の品目のラベルを発行し貯め置きしておく場合に非常に有効であり、次のラベル発行作業に早く着手することができるので、ラベル発行及びラベル貼付など作業全体の時間短縮を行うことができる。
【００４８】
また、計量商品の場合は、発行されたラベルを商品に貼付する作業時間を含めてラベル発行されるのでラベル貼付作業をスムーズに行うことができる。
【００４９】
また、本発明の実施形態に係るラベル発行装置１は、ラベルに所定の印字を施す印字手段３２を有する。制御手段２０は、第１のラベル発行形態または第２のラベル発行形態に基づいて、ラベルを発行する速度に応じて印字手段３２の印字処理を制御する。
ラベルの発行形態（ラベル印字を行い剥離してラベルを発行、または、台紙付きでラベル印字を行い台紙付きで垂れ流し発行）に応じてラベル発行速度（ラベル用紙の繰出し速度および印字速度）を発行形態に応じて変えることができるので、ラベル発行処理に掛かる作業時間全体を短縮することができる。
【００５０】
尚、上記実施形態では、主に第１印字機構部３に関して説明したが、第２印字機構部４についても第１印字機構部３と略同様な構造を有し、略同様な動作を行うものである。第１印字機構部３と第２印字機構部４を同時に同様な動作を行うように制御してもよい。
また、第１印字機構部３を第２の発行形態、第２印字機構部４を台紙からラベルを剥離しながら一枚ずつラベル発行を行う第１の発行形態に、または、その逆の組み合わせに設定してもよい。
【００５１】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００５２】
１  ラベル発行装置
２  計量部
２ａ  ロードセル
３  第１印字機構部
４  第２印字機構部
５  表示入力部
２０  制御手段
２１  ロードセル制御部
２２  印字・搬送制御部
３０  ＲＡＭ
３１  繰出手段
３２  印字手段
３３  剥離手段
３４  切断手段
４０  ＲＯＭ
【図１】
2015160665.tif 000003
【図２】
2015160665.tif 000004
【図３】
2015160665.tif 000005
【図４】
2015160665.tif 000006
【図５】
2015160665.tif 000007
【図６】
2015160665.tif 000008
【図７】
2015160665.tif 000009